【手続補正書】
【提出日】平成31年1月22日(2019.1.22)
【手続補正１】
【補正対象書類名】特許請求の範囲
【補正対象項目名】全文
【補正方法】変更
【補正の内容】
【特許請求の範囲】
【請求項１】
造形材料を用いて３次元構造体を造形する造形装置と、前記３次元構造体の少なくとも一部から前記造形材料を生成する生成装置及び前記３次元構造体の表面からの光の特性を制御するために前記３次元構造体に電磁波を照射する照射装置の少なくとも一方とを備える造形ユニットと、
第１通信網を介して前記造形ユニットを制御する制御装置と
を備える造形システム。
【請求項２】
前記制御装置は、前記造形ユニットが造形した前記３次元構造体を視認するユーザに関するユーザ情報に基づいて、前記造形ユニットを制御する
請求項１に記載の造形システム。
【請求項３】
前記ユーザ情報は、前記造形ユニットが造形した前記３次元構造体に対する前記ユーザの反応を示す反応情報を含む
請求項２に記載の造形システム。
【請求項４】
前記ユーザ情報は、前記造形ユニットが造形した前記３次元構造体を視認する前の前記ユーザの状態を示す第１状態情報を含む
請求項２又は３に記載の造形システム。
【請求項５】
前記ユーザ情報は、前記造形ユニットが造形した前記３次元構造体を視認した後の前記ユーザの状態を示す第２状態情報を含む
請求項２から４のいずれか一項に記載の造形システム。
【請求項６】
前記ユーザの状態は、前記ユーザの表情、前記ユーザの振る舞い、及び、前記ユーザの生体情報のうちの少なくとも一つを含む
請求項４又は５に記載の造形システム。
【請求項７】
前記ユーザ情報は、前記ユーザの属性を示す属性情報を含む
請求項２から６のいずれか一項に記載の造形システム。
【請求項８】
前記制御装置は、前記第１通信網を介して、前記造形ユニットから前記ユーザ情報を取得する
請求項２から７のいずれか一項に記載の造形システム。
【請求項９】
前記造形ユニットは、前記ユーザ情報を生成する第１生成装置を備える
請求項８に記載の造形システム。
【請求項１０】
前記第１生成装置は、前記ユーザが操作可能な操作装置を含み、
前記ユーザ情報は、前記ユーザによる前記操作装置の操作の内容に関する操作情報を含む
請求項９に記載の造形システム。
【請求項１１】
前記操作は、前記造形ユニットが造形した前記３次元構造体に対する前記ユーザの反応を反映した操作を含む
請求項１０に記載の造形システム。
【請求項１２】
前記操作は、前記造形ユニットが造形した前記３次元構造体に対する前記ユーザの評価を入力する操作、及び、前記造形ユニットが造形した前記３次元構造体に関連する商品を購買する操作のうちの少なくとも一方を含む
請求項１０又は１１に記載の造形システム。
【請求項１３】
前記操作装置は、前記ユーザが保有するユーザ端末を用いて操作可能である
請求項１０から１２のいずれか一項に記載の造形システム。
【請求項１４】
前記第１生成装置は、前記ユーザの状態及び前記ユーザの属性のうちの少なくとも一方を検出可能な検出装置を含み、
前記ユーザ情報は、前記検出装置の検出結果に関する検出情報を含む
請求項９から１３のいずれか一項に記載の造形システム。
【請求項１５】
前記検出装置は、前記ユーザの生体情報を検出可能な生体センサ及び前記ユーザの少なくとも一部を撮像可能な撮像装置のうちの少なくとも一方を含む
請求項１４に記載の造形システム。
【請求項１６】
前記制御装置は、第２通信網を介して、前記ユーザが保有するユーザ端末から前記ユーザ情報を取得する
請求項２から１５のいずれか一項に記載の造形システム。
【請求項１７】
前記ユーザ端末は、前記ユーザ情報を生成する第２生成装置を備える
請求項１６に記載の造形システム。
【請求項１８】
前記第２生成装置は、前記ユーザが操作可能な操作装置を含み、
前記ユーザ情報は、前記ユーザによる前記操作装置の操作の内容に関する操作情報を含む
請求項１７に記載の造形システム。
【請求項１９】
前記操作は、前記造形ユニットが造形した前記３次元構造体に対する前記ユーザの反応を反映した操作を含む
請求項１８に記載の造形システム。
【請求項２０】
前記操作は、前記造形ユニットが造形した前記３次元構造体に対する前記ユーザの評価を入力する操作、及び、前記造形ユニットが造形した前記３次元構造体に関連する商品を購買する操作のうちの少なくとも一方を含む
請求項１８又は１９に記載の造形システム。
【請求項２１】
前記第２生成装置は、前記ユーザの状態及び前記ユーザの属性のうちの少なくとも一方を検出可能な検出装置を含み、
前記ユーザ情報は、前記検出装置の検出結果に関する検出情報を含む
請求項１７から２０のいずれか一項に記載の造形システム。
【請求項２２】
前記検出装置は、前記ユーザの生体情報を検出可能な生体センサ及び前記ユーザの少なくとも一部を撮像可能な撮像装置のうちの少なくとも一方を含む
請求項２１に記載の造形システム。
【請求項２３】
前記ユーザ端末を更に備える
請求項１６から２２のいずれか一項に記載の造形システム。
【請求項２４】
前記制御装置は、取得した前記ユーザ情報を蓄積するデータベースを備えており、
前記制御装置は、前記ユーザ情報を取得するたびに前記データベースを更新し、更新した前記データベースに基づいて、前記造形ユニットを制御する
請求項８から２３のいずれか一項に記載の造形システム。
【請求項２５】
前記制御装置は、前記造形装置を制御する
請求項１から２４のいずれか一項に記載の造形システム。
【請求項２６】
前記造形ユニットは、前記生成装置を備え、
前記制御装置は、前記生成装置を制御する
請求項１から２５のいずれか一項に記載の造形システム。
【請求項２７】
前記造形ユニットは、前記照射装置を備え、
前記制御装置は、前記照射装置を制御する
請求項１から２６のいずれか一項に記載の造形システム。
【請求項２８】
前記制御装置は、前記照射装置が前記電磁波を照射した前記３次元構造体を視認した前記ユーザに関するユーザ情報に基づいて、前記照射装置を制御する
請求項２７に記載の造形システム。
【請求項２９】
前記制御装置は、前記ユーザ情報に基づいて、前記電磁波の照射態様を決定する
請求項２７又は２８に記載の造形システム。
【請求項３０】
前記照射装置は、前記電磁波を照射して前記表面に画像を投影し、
前記制御装置は、前記ユーザ情報に基づいて、前記画像の内容を決定する
請求項２７から２９のいずれか一項に記載の造形システム。
【請求項３１】
前記制御装置は、前記ユーザ情報に基づいて、前記ユーザの好みに合致した画像が投影されるように、前記画像の内容を決定する
請求項３０に記載の造形システム。
【請求項３２】
前記制御装置は、第１の画像を投影するように前記照射装置を制御し、前記第１の画像を投影した後に取得した前記ユーザ情報に基づいて、前記第１の画像よりも前記ユーザの好みに合致した第２の画像を投影するように前記照射装置を制御する
請求項３１に記載の造形システム。
【請求項３３】
前記制御装置は、前記造形ユニットが造形した前記３次元構造体を視認する第１のユーザに関するユーザ情報に基づいて、前記第１のユーザとは異なる第２のユーザが視認する前記３次元構造体を造形する前記造形ユニットを制御する
請求項１から３２のいずれか一項に記載の造形システム。
【請求項３４】
前記３次元構造体に対する前記第１のユーザの好みは、前記３次元構造体に対する前記第２のユーザの好みと同一である又は類似している
請求項３３に記載の造形システム。
【請求項３５】
前記造形ユニットは、第３通信網を介して、前記造形ユニットが造形した３次元構造体を視認するユーザが保有するユーザ端末と接続可能である
請求項１から３４のいずれか一項に記載の造形システム。
【請求項３６】
請求項１から３５のいずれか一項に記載の造形システムを備えるディスプレイシステム。
【請求項３７】
請求項１から３５のいずれか一項に記載の造形システムを備え、
前記造形ユニットが造形した前記３次元構造体に関連する商品をユーザが購買可能な購買システム。
【請求項３８】
造形材料を用いて３次元構造体を造形する造形装置と、前記３次元構造体の少なくとも一部から前記造形材料を生成する生成装置及び前記３次元構造体の表面からの光の特性を制御するために前記３次元構造体に電磁波を照射する照射装置の少なくとも一方とを備える造形ユニットを、第１通信網を介して制御する制御装置。
【請求項３９】
３次元構造体を用いた広告装置であって、請求項１から３５のいずれか一項に記載の造形システムを備える広告装置。
【手続補正２】
【補正対象書類名】明細書
【補正対象項目名】０１５６
【補正方法】変更
【補正の内容】
【０１５６】
上述の各実施形態の構成要件の少なくとも一部は、上述の各実施形態の構成要件の少なくとも他の一部と適宜組み合わせることができる。上述の各実施形態の構成要件のうちの一部が用いられなくてもよい。また、法令で許容される限りにおいて、上述の各実施形態で引用した全ての公開公報及び米国特許の開示を援用して本文の記載の一部とする。
以上、本明細書で説明した実施形態について、以下の付記を更に記載する。
［付記１］
造形材料を用いて３次元構造体を造形する造形装置と、前記３次元構造体の少なくとも一部から前記造形材料を生成する生成装置及び前記３次元構造体の表面からの光の特性を制御するために前記３次元構造体に電磁波を照射する照射装置の少なくとも一方とを備える造形ユニットと、
第１通信網を介して前記造形ユニットを制御する制御装置と
を備える造形システム。
［付記２］
前記制御装置は、前記造形ユニットが造形した前記３次元構造体を視認するユーザに関するユーザ情報に基づいて、前記造形ユニットを制御する
付記１に記載の造形システム。
［付記３］
前記ユーザ情報は、前記造形ユニットが造形した前記３次元構造体に対する前記ユーザの反応を示す反応情報を含む
付記２に記載の造形システム。
［付記４］
前記反応情報は、前記ユーザの意識的な反応を示す第１反応情報及び前記ユーザの無意識な反応を示す第２反応情報のうちの少なくとも一方を含む
付記３に記載の造形システム。
［付記５］
前記反応は、前記造形ユニットが造形した前記３次元構造体に対する前記ユーザの評価を特定可能な反応を含む
付記３又は４に記載の造形システム。
［付記６］
前記ユーザ情報は、前記造形ユニットが造形した前記３次元構造体を視認する前の前記ユーザの状態を示す第１状態情報を含む
付記２から５のいずれか一項に記載の造形システム。
［付記７］
前記ユーザ情報は、前記造形ユニットが造形した前記３次元構造体を視認した後の前記ユーザの状態を示す第２状態情報を含む
付記２から６のいずれか一項に記載の造形システム。
［付記８］
前記ユーザの状態は、前記ユーザの表情、前記ユーザの振る舞い、及び、前記ユーザの生体情報のうちの少なくとも一つを含む
付記６又は７に記載の造形システム。
［付記９］
前記ユーザ情報は、前記ユーザの属性を示す属性情報を含む
付記２から８のいずれか一項に記載の造形システム。
［付記１０］
前記制御装置は、前記第１通信網を介して、前記造形ユニットから前記ユーザ情報を取得する
付記２から９のいずれか一項に記載の造形システム。
［付記１１］
前記造形ユニットは、前記ユーザ情報を生成する第１生成装置を備える
付記１０に記載の造形システム。
［付記１２］
前記第１生成装置は、前記ユーザが操作可能な操作装置を含み、
前記ユーザ情報は、前記ユーザによる前記操作装置の操作の内容に関する操作情報を含む
付記１１に記載の造形システム。
［付記１３］
前記操作は、前記造形ユニットが造形した前記３次元構造体に対する前記ユーザの反応を反映した操作を含む
付記１２に記載の造形システム。
［付記１４］
前記操作は、前記造形ユニットが造形した前記３次元構造体に対する前記ユーザの評価を入力する操作、及び、前記造形ユニットが造形した前記３次元構造体に関連する商品を購買する操作のうちの少なくとも一方を含む
付記１２又は１３に記載の造形システム。
［付記１５］
前記操作装置は、前記ユーザが保有するユーザ端末を用いて操作可能である
付記１２から１４のいずれか一項に記載の造形システム。
［付記１６］
前記第１生成装置は、前記ユーザの状態及び前記ユーザの属性のうちの少なくとも一方を検出可能な検出装置を含み、
前記ユーザ情報は、前記検出装置の検出結果に関する検出情報を含む
付記１１から１５のいずれか一項に記載の造形システム。
［付記１７］
前記検出装置は、前記ユーザの生体情報を検出可能な生体センサ及び前記ユーザの少なくとも一部を撮像可能な撮像装置のうちの少なくとも一方を含む
付記１６に記載の造形システム。
［付記１８］
前記制御装置は、第２通信網を介して、前記ユーザが保有するユーザ端末から前記ユーザ情報を取得する
付記２から１７のいずれか一項に記載の造形システム。
［付記１９］
前記ユーザ端末は、前記ユーザ情報を生成する第２生成装置を備える
付記１８に記載の造形システム。
［付記２０］
前記第２生成装置は、前記ユーザが操作可能な操作装置を含み、
前記ユーザ情報は、前記ユーザによる前記操作装置の操作の内容に関する操作情報を含む
付記１９に記載の造形システム。
［付記２１］
前記操作は、前記造形ユニットが造形した前記３次元構造体に対する前記ユーザの反応を反映した操作を含む
付記２０に記載の造形システム。
［付記２２］
前記操作は、前記造形ユニットが造形した前記３次元構造体に対する前記ユーザの評価を入力する操作、及び、前記造形ユニットが造形した前記３次元構造体に関連する商品を購買する操作のうちの少なくとも一方を含む
付記２０又は２１に記載の造形システム。
［付記２３］
前記第２生成装置は、前記ユーザの状態及び前記ユーザの属性のうちの少なくとも一方を検出可能な検出装置を含み、
前記ユーザ情報は、前記検出装置の検出結果に関する検出情報を含む
付記１９から２２のいずれか一項に記載の造形システム。
［付記２４］
前記検出装置は、前記ユーザの生体情報を検出可能な生体センサ及び前記ユーザの少なくとも一部を撮像可能な撮像装置のうちの少なくとも一方を含む
付記２３に記載の造形システム。
［付記２５］
前記ユーザ端末を更に備える
付記１８から２４のいずれか一項に記載の造形システム。
［付記２６］
前記制御装置は、取得した前記ユーザ情報を蓄積するデータベースを備えており、
前記制御装置は、前記ユーザ情報を取得するたびに前記データベースを更新し、更新した前記データベースに基づいて、前記造形ユニットを制御する
付記１０から２５のいずれか一項に記載の造形システム。
［付記２７］
前記制御装置は、前記造形装置を制御する
付記１から２６のいずれか一項に記載の造形システム。
［付記２８］
前記造形ユニットは、前記生成装置を備え、
前記制御装置は、前記生成装置を制御する
付記１から２７のいずれか一項に記載の造形システム。
［付記２９］
前記造形ユニットは、前記照射装置を備え、
前記制御装置は、前記照射装置を制御する
付記１から２８のいずれか一項に記載の造形システム。
［付記３０］
前記制御装置は、前記照射装置が前記電磁波を照射した前記３次元構造体を視認した前記ユーザに関するユーザ情報に基づいて、前記照射装置を制御する
付記２９に記載の造形システム。
［付記３１］
前記制御装置は、前記ユーザ情報に基づいて、前記電磁波の照射態様を決定する
付記２９又は３０に記載の造形システム。
［付記３２］
前記照射装置は、前記電磁波を照射して前記表面に画像を投影し、
前記制御装置は、前記ユーザ情報に基づいて、前記画像の内容を決定する
付記２９から３１のいずれか一項に記載の造形システム。
［付記３３］
前記制御装置は、前記ユーザ情報に基づいて、前記ユーザの好みに合致した画像が投影されるように、前記画像の内容を決定する
付記３２に記載の造形システム。
［付記３４］
前記制御装置は、第１の画像を投影するように前記照射装置を制御し、前記第１の画像を投影した後に取得した前記ユーザ情報に基づいて、前記第１の画像よりも前記ユーザの好みに合致した第２の画像を投影するように前記照射装置を制御する
付記３３に記載の造形システム。
［付記３５］
前記制御装置は、前記造形ユニットが造形した前記３次元構造体を視認する第１のユーザに関するユーザ情報に基づいて、前記第１のユーザとは異なる第２のユーザが視認する前記３次元構造体を造形する前記造形ユニットを制御する
付記１から３４のいずれか一項に記載の造形システム。
［付記３６］
前記３次元構造体に対する前記第１のユーザの好みは、前記３次元構造体に対する前記第２のユーザの好みと同一である又は類似している
付記３５に記載の造形システム。
［付記３７］
前記造形ユニットは、第３通信網を介して、前記造形ユニットが造形した３次元構造体を視認するユーザが保有するユーザ端末と接続可能である
付記１から３６のいずれか一項に記載の造形システム。
［付記３８］
前記第３通信網は、有線通信網及び無線通信網のうちの少なくとも一方を含む
付記３７に記載の造形システム。
［付記３９］
第１通信網を介した制御装置の制御下で、造形材料を用いて３次元構造体を造形し、前記３次元構造体の少なくとも一部から前記造形材料を生成する処理、及び、前記３次元構造体の表面からの光の特性を制御するために前記３次元構造体に電磁波を照射する処理の少なくとも一方を行う造形方法。
［付記４０］
付記１から３８のいずれか一項に記載の造形システムを備えるディスプレイシステム。
［付記４１］
付記１から３８のいずれか一項に記載の造形システムを用いて前記３次元構造体をディスプレイするディスプレイ方法。
［付記４２］
付記１から３８のいずれか一項に記載の造形システムを備え、
前記造形ユニットが造形した前記３次元構造体に関連する商品をユーザが購買可能な購買システム。
［付記４３］
造形材料を用いて３次元構造体を造形する造形装置と、前記３次元構造体の少なくとも一部から前記造形材料を生成する生成装置及び前記３次元構造体の表面からの光の特性を制御するために前記３次元構造体に電磁波を照射する照射装置の少なくとも一方とを備える造形ユニットを、第１通信網を介して制御する制御装置。
［付記４４］
造形材料を用いて３次元構造体を造形する造形装置と、前記３次元構造体の少なくとも一部から前記造形材料を生成する生成装置及び前記３次元構造体の表面からの光の特性を制御するために前記３次元構造体に電磁波を照射する照射装置の少なくとも一方とを備える造形ユニットを、第１通信網を介して制御する制御方法。
［付記４５］
３次元構造体を用いた広告装置であって、付記１から３８のいずれか一項に記載の造形システムを備える広告装置。
［付記４６］
付記１から３８のいずれか一項に記載の造形システムが造形する前記３次元構造体を広告媒体とする広告方法。